(57)【要約】【課題】  従来の、製品は顎紐を締めずに着用する事ができ、又顎紐を締めた状態での上下動作、又は衝撃時に頭部からヘルメットの擦れ、又は脱帽によって有事の時、頭部を保護できない事が多々あった。本発明は、着用の際、不適切な着帽を防ぎ、顎紐を正確に締めないと着帽する事ができない構造とした強制着帽ヘルメットを提供するものである。【解決手段】  ヘルメット本体１内底面部に、伸縮性のある網類等３をヘルメット内底面部に張着、又は装着し、顎紐５を正確に締めないと着帽できない構造とし、又は顎紐５を締めた状態での上下動作、衝撃時による擦れ、又は脱帽防止の為、中心部に円形又は多角形状の形４を形成させ、その形４よりヘルメット本体１内周底面部、又は着装体（ヘッドバンド、ハンモック）２へ向かって放射状、蜘蛛の巣状、螺旋状、網状等に形成された網類等３を平面状に張着、又は装着されている構造の強制着帽ヘルメット。【選択図】  図１
2005290650.tif 000002
【特許請求の範囲】
【請求項１】
ヘルメット本体内周底面部、又は着装体（ヘッドバンド、ハンモック）に伸縮性のあるゴム類、紐類、布類、合成樹脂類、バネ（弾性体）類等から形成された網状等のものをヘルメット本体内周底面部、又は着装体（ヘッドバンド、ハンモック）に平面状に張着、又は装着し、顎紐を正確に締めないと着帽出来ない構造とした強制着帽ヘルメット。
【請求項２】
内部の構成は、顎紐を締めた状態での上下動作、又は衝撃時による擦れ、又は脱帽防止の為にヘルメット本体内周底面中心部に伸縮性のあるゴム類、紐類、布類、合成樹脂類等で円形、又は多角形状の形を形成させ、その形よりヘルメット本体内周底面部、又は着装体（ヘッドバンド、ハンモック）に向かって放射状、蜘蛛の巣状、螺旋状、網状に形成された網類等を平面状に張着、又は装着されている請求項１記載の強制装着ヘルメット。
【請求項３】
バネ類等がヘルメット本体内上部より、底面へ向かって装着されたもの、又はヘルメット本体内周部から棒状のバネ類等が、底面中心部へ向かって装着されたもの、又はヘルメット内部の側面に突状に装着されたもの、又はヘルメット本体内周底面部に平面状に張着、又は装着されてあるものである請求項１、又は請求項２記載の強制着帽ヘルメット。
【発明の詳細な説明】
【技術分野】
【０００１】  この本発明は、建設現場、工場、その他作業等・遊戯・スポーツ・通学・交通安全時等において着帽するヘルメットに関する。
【背景技術】
【０００２】  従来、この種のヘルメットは頭部を覆うヘルメット本体内部に衝撃吸収材の、紐類・プラスチック類・発砲樹脂等の衝撃吸収材等が設けられて、顎紐を締めず単に頭の上に載せて着用されている事もある。
【発明の開示】
【発明が解決しようとする課題】
【０００３】  従来の、製品は顎紐を締めずに着用する事ができ、又は顎紐を締めた状態での上下動作、又は衝撃時に頭部からヘルメットの脱帽、又は擦れによって有事の時、頭部を保護できない事が多々あった。【０００４】  本発明は、着用の際不適切な着帽を防ぎ、顎紐を正確に締めないと着帽する事ができない構造とした、強制着帽ヘルメットを提供するものである。
【課題を解決するための手段】
【０００５】  本発明に係わる、強制着帽ヘルメットは、ヘルメット本体内部に、伸縮性のあるゴム類等、紐類、布類、バネ類あるいは合成樹脂類等から製せられる網類等を、ヘルメット本体底面部に平面状に張着、又は装着し、顎紐を正確に締めないと、着帽できない事を特徴とするものである。【０００６】  さらに、内部の網類等の構成は、顎紐を締めた状態での上下動作、又は衝撃時による擦れ、又は脱帽防止の為、ヘルメット本体中心部に伸縮性のある、ゴム類、紐類、布類、合成樹脂類、バネ（弾性体）類等で．円形又は多角形状の形を形成させ、その形よりヘルメット本体内周底面部、又は着装体（ヘツドバンド、ハンモツク）に向かって放射状、蜘蛛の巣状、螺旋状、網状に形成された網類等を平面状に張着、又は装着されている事を特徴とするものである。【０００７】  さらに、バネ類等がヘルメット本体内上部より、底面へ向かって装着されたもの、又はヘルメット本体内周部から棒状のバネ類等が中心部へ向かって装着されたもの、又は内部の側面に突状に装着されたもの、又はヘルメット本体内周部底面部に平面状に張着、又は装着されていることを特徴とするものである。
【発明の効果】
【０００８】  本発明に係わる、強制着帽ヘルメットは、ヘルメット本体内底面部に伸縮性のあるゴム類、紐類、布類、バネ類、合成樹脂類等から製せられる網類等をヘルメット本体内底面部に平面状に張着、又は装着し、顎紐を正確に締めないと、着帽できない事を特徴とするものであるため、事故の防止につながる。【０００９】  さらに、ヘルメット本体内底面部の網類等の構成は、顎紐を締めた状態での上下動作、又は衝撃時による擦れ、又は脱帽防止の為に、ヘルメット中心部からヘルメット本体内周底面部、又は着装体（ヘッドバンド、ハンモック）に向かって伸縮性のあるゴム類、紐類、布類、合成樹脂類、バネ（弾性体）類等を放射状、蜘蛛の巣状、螺旋状、網状等に形成させて、ヘルメット本体内周底面部、又は着装体（ヘッドバンド、ハンモック）に平面状に張着、又は装着されている事を特徴とするものである為、顎紐を締めた状態での上下動作、又は衝撃時による擦れ、又は脱帽防止ができる事を特徴とするものである。
【発明を実施するときの最良の形態】
【００１０】  ヘルメット１本体内底面部には、その周面にそって取り付けられる着装体（ヘッドバンド、ハンモツク）２に、伸縮性のある網類等３、あるいは伸縮可能な紐類、布類、合成樹脂類、バネ（弾性体）類等を放射状・蜘蛛の巣状・螺旋状・網状等に形成した網類等３を本体内底面部に平面状に張着、又は装着されてなるものである。
この着装体３は、ヘルメット本体１を着帽の際、顎紐５を結ばずに着帽しただけの状態ではその張力により脱帽し、顎紐５を正しく締めて強制的に張力に抗して網類等３を押し上げる事により着帽するものである。
【００１１】  さらに、内部の網類等３の構成は、顎紐５を締めた状態での上下動作、又は衝撃時による擦れ、又は脱帽防止の為に、ヘルメット本体１内周底面中心部に伸縮性のあるゴム類、紐類、布類、合成樹脂類等で円形、又は多角形状の形４を形成させ、その形４よりヘルメット本体１内周底面部、又は着装体（ヘツドバンド、ハンモツク）２に向かって放射状・蜘蛛の巣状・螺旋状・網状等に形成された網類等３を平面状に張着、又は装着されている事を特徴とするものである。
【００１２】  さらに、バネ類等がヘルメット本体１内上部より、底面へ向かって装着されたもの、又はヘルメット本体１内周部から棒状のバネ類等が中心部へ向かって装着されたもの、又は内部に突状に装着されたもの、又はヘルメット本体１内周部底面に平面状に張着、又は装着されていることを特徴とするものである。
【図面の簡単な説明】
【００１３】
【図１】      ヘルメットの底面図である。
【図２】      一部を破断して着帽状態を示す略図である。
【図３】      着帽する前の状態を示す略図である。
【符号の説明】
【００１４】      １，ヘルメット本体
２，着装体（ヘッドバンド、ハンモック）
３，伸縮性のある網類等
４，円形状又は多角形状に形成された形のゴム類等
５，顎紐
【図１】
2005290650.tif 000003
【図２】
2005290650.tif 000004
【図３】
2005290650.tif 000005